【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】  有機溶媒中のバインダーの硬化性コーティング組成物であって、前記組成物は、
Ａ）非イソシアナート成分であって、
ｉ）該非イソシアナート成分の５〜１００％は、約３，０００を超えない重量平均分子量、および１．７を超えない多分散性を有しており、少なくとも２つの官能基を含み、そのうち少なくとも１つがエポキシ基であり、残りがエポキシまたはヒドロキシルである、オリゴマーまたはオリゴマーの配合物であり、
および
ｉｉ）該非イソシアナート成分の０〜９５重量％は、それぞれ少なくとも２つのヒドロキシル基を有するポリエステル、オリゴ−エステル、またはアクリルポリマーである、
非イソシアナート成分と、
Ｂ）少なくとも２つのイソシアナート基を含むオリゴマーイソシアナート架橋剤と、
を含有し、Ａに対するＢの当量は、イソシアナート対エポキシまたはエポキシとヒドロキシルの合計が０．５対３．０であることを特徴とする硬化性コーティング組成物。
【請求項２】  前記（ｉ）および（Ｂ）を含有し、（ｉｉ）を含有しないことを特徴とする請求項１に記載の硬化性コーティング組成物。
【請求項３】  成分（ｉ）の官能基がエポキシであることを特徴とする請求項１に記載の硬化性コーティング組成物。
【請求項４】  成分（ｉｉ）は、ヒドロキシルアクリレートおよびヒドロキシルメタクリレートよりなる群から選択されるものから誘導された少なくとも１つのヒドロキシル基と、グリシジルアクリレートおよびグリシジルメタクリレートからなる群から選択されたものから誘導された少なくとも１つのエポキシ基を含むことを特徴とする請求項１に記載の硬化性コーティング組成物。
【請求項５】  成分（ｉｉ）は、少なくとも３０００の重量平均分子量を有し、およびヒドロキシルアクリレートおよびヒドロキシルメタクリレートよりなる群から選択された少なくとも２つのヒドロキシル基を有するアクリルポリマーであることを特徴とする請求項１に記載の硬化性コーティング組成物。
【請求項６】  成分（ｉｉ）は、少なくとも１５００の重量平均分子量を有するヒドロキシル官能性ポリエステルであることを特徴とする請求項１に記載の硬化性コーティング組成物。
【請求項７】  成分（ｉｉ）は、約３，０００を超えない重量平均分子量、約１．７を超えない多分散性、およびヒドロキシル官能価を有する、線形または分岐された環状脂肪族成分を含むオリゴマーまたはオリゴマーの配合物より選択されることを特徴とする請求項１に記載の硬化性コーティング組成物。
【請求項８】  成分（ｉｉ）は、約３，０００を超えない重量平均分子量、約１．７を超えない多分散性、およびヒドロキシル官能価を有する非脂環式オリゴマーであることを特徴とする請求項１に記載の硬化性コーティング組成物。
【請求項９】  アクリルポリマーの核と、これにグラフトした複数の実質的に線形の安定剤成分とを含有するアクリル成分をバインダーの総量の４０重量％以下含み、このアクリル成分が、Ｂと反応可能な官能基を有するエチレン性不飽和モノマーを少なくとも約２パーセント含み、前記核が実質的に溶媒媒体に不溶であり、および前記安定剤成分が溶媒媒体に可溶であることを特徴とする請求項１に記載の硬化性コーティング組成物。
【請求項１０】  アルジミン、ケチミン、およびポリアスパラギン酸エステルよりなる群から選択される１つ以上の追加の架橋剤を含有することを特徴とする請求項１に記載の硬化性コーティング組成物。
【手続補正２】
【補正対象書類名】明細書
【補正対象項目名】００４０
【補正方法】変更
【補正の内容】
【００４０】
1Dixie Chemical製のソルビトールエーテルエポキシ−ヒドロキシル
2および3BK乾燥時間試験器を用いた表面乾燥時間
以下に、本発明の好ましい態様を示す。
１．  有機溶媒中のバインダーの硬化性コーティング組成物であって、前記組成物は、
Ａ）非イソシアナート成分であって、
ｉ）該非イソシアナート成分の５〜１００％は、約３，０００を超えない重量平均分子量、および１．７を超えない多分散性を有しており、少なくとも２つの官能基を含み、そのうち少なくとも１つがエポキシ基であり、残りがエポキシまたはヒドロキシルである、オリゴマーまたはオリゴマーの配合物であり、
および
ｉｉ）該非イソシアナート成分の０〜９５重量％は、それぞれ少なくとも２つのヒドロキシル基を有するポリエステル、オリゴ−エステル、またはアクリルポリマーである、
非イソシアナート成分と、
Ｂ）少なくとも２つのイソシアナート基を含むオリゴマーイソシアナート架橋剤と、
を含有し、Ａに対するＢの当量は、イソシアナート対エポキシまたはエポキシとヒドロキシルの合計が０．５対３．０であることを特徴とする硬化性コーティング組成物。
２．  前記（ｉ）および（Ｂ）を含有し、（ｉｉ）を含有しないことを特徴とする１．に記載の硬化性コーティング組成物。
３．  成分（ｉ）の官能基がエポキシであることを特徴とする１．に記載の硬化性コーティング組成物。
４．  成分（ｉｉ）は、ヒドロキシルアクリレートおよびヒドロキシルメタクリレートよりなる群から選択されるものから誘導された少なくとも１つのヒドロキシル基と、グリシジルアクリレートおよびグリシジルメタクリレートからなる群から選択されたものから誘導された少なくとも１つのエポキシ基を含むことを特徴とする１．に記載の硬化性コーティング組成物。
５．  成分（ｉｉ）は、少なくとも３０００の重量平均分子量を有し、およびヒドロキシルアクリレートおよびヒドロキシルメタクリレートよりなる群から選択された少なくとも２つのヒドロキシル基を有するアクリルポリマーであることを特徴とする１．に記載の硬化性コーティング組成物。
６．  成分（ｉｉ）は、少なくとも１５００の重量平均分子量を有するヒドロキシル官能性ポリエステルであることを特徴とする１．に記載の硬化性コーティング組成物。
７．  成分（ｉｉ）は、約３，０００を超えない重量平均分子量、約１．７を超えない多分散性、およびヒドロキシル官能価を有する、線形または分岐された環状脂肪族成分を含むオリゴマーまたはオリゴマーの配合物より選択されることを特徴とする１．に記載の硬化性コーティング組成物。
８．  成分（ｉｉ）は、約３，０００を超えない重量平均分子量、約１．７を超えない多分散性、およびヒドロキシル官能価を有する非脂環式オリゴマーであることを特徴とする１．に記載の硬化性コーティング組成物。
９．  アクリルポリマーの核と、これにグラフトした複数の実質的に線形の安定剤成分とを含有するアクリル成分をバインダーの総量の４０重量％以下含み、このアクリル成分が、Ｂと反応可能な官能基を有するエチレン性不飽和モノマーを少なくとも約２パーセント含み、前記核が実質的に溶媒媒体に不溶であり、および前記安定剤成分が溶媒媒体に可溶であることを特徴とする１．に記載の硬化性コーティング組成物。
１０．  アルジミン、ケチミン、およびポリアスパラギン酸エステルよりなる群から選択される１つ以上の追加の架橋剤を含有することを特徴とする１．に記載の硬化性コーティング組成物。
１１．  スズ、および第三級アミンよりなる群から選択される触媒を含有することを特徴とする１．に記載の硬化性コーティング組成物。
１２．  １．に記載の組成物の周囲温度で硬化したコーティング。
１３．  １．に記載の組成物の焼付け硬化したコーティング。
１４．  バインダー１００部に基づいて、２００重量部以下の顔料をさらに含むことを特徴とする１．に記載の硬化性コーティング組成物。
１５．  １．に記載の組成物を基板の上に塗布する工程と、該組成物を硬化する工程と、を具えることを特徴とする基板にコーティングする方法。
１６．  １．に記載の組成物でコートされた基板。